(57)【特許請求の範囲】
【請求項１】
対物レンズホルダの外周部のところに設けられるものであって被係合部を有するように形成されたブラケットと、当該ブラケットの上記被係合部に装着される係合部を有するとともにダイナミックダンパのバネ系を形成するゴム状弾性体の取付けられるダンパベースを有するダンパ側ブラケット並びに上記ダンパベースに一体的に取付けられるゴム状弾性体及び当該ゴム状弾性体に一体的に結合されるものであって所定の質量を有するマスにて形成されるダイナミックダンパと、からなるとともに、このような構成からなる上記ダイナミックダンパを形成するダンパ側ブラケットを、コ字状の縦断面形状を有するものであって一方の辺側には上記ブラケットの被係合部を形成する開口部に嵌り込むように形成された舌片状の係合部を有するようにし、一方、このような舌片状の係合部の嵌り込む被係合部である開口部を、レンズホルダの円筒状外周面に沿うように形成されるものであって円弧状の形態からなるようにし、このような円弧状開口部からなる被係合部のところに上記舌片状の係合部を係合させて固定するようにした構成からなることを特徴とする光ピックアップ用制振装置。
【請求項２】
円環状の形態からなるものであって伸縮が可能な弾性部材にて形成されるとともに当該弾性部材にて形成される緊迫力にて円筒状形態からなる対物レンズホルダのところに取付けられるダンパ側ブラケットと、当該円環状のダンパ側ブラケットの円周上のいずれかの所に一体的に取付けられるものであってダイナミックダンパのバネ系を形成するゴム状弾性体と、当該ゴム状弾性体に一体的に結合されるものであって所定の質量を有するマスと、にて形成されるダイナミックダンパからなることを特徴とする光ピックアップ用制振装置。
【発明の詳細な説明】
【０００１】
【発明の属する技術分野】
本発明は、コンパクトディスク（ＣＤ）あるいはディジタルビデオディスク（ＤＶＤ）等の光記録媒体（ディスク）から記録情報を読み出すための光ピックアップ装置に設けられるダイナミックダンパ型の制振装置に関するものであり、特に、本制振装置をモジュール化して、上記光ピックアップへの装着作業を円滑に行えるようにしたダイナミックダンパ型の光ピックアップ用制振装置に関するものである。
【０００２】
【従来の技術】
一般に、光ピックアップ装置が取付けられるＣＤ読取り装置あるいはＤＶＤ読取り装置は、例えば図４に示す如く、記録媒体であるディスク９０及び当該ディスク９０から記録情報を読み出す光ピックアップ１０等の取付けられるドライブユニット２０が、本読取り装置の基礎を成すベース５０に防振ゴム３０等を介して弾性支持されるようになっているものである。しかしながら、このような読取り装置において、これらが車載されたような場合等において、外部振動が上記光ピックアップ１０のところに入力され、上記ディスク９０からの記録読出しを不能にしてしまう場合がある。このような光ピックアップ１０の共振作用による読取り不能現象の発生を抑止するために、上記光ピックアップ１０のところに、所定のダイナミックダンパを設けるようにしたもの（アイデア）が既に存在し、例えば特開平１０−１７２１６５号公報等により公知となっている。
【０００３】
【発明が解決しようとする課題】
ところで、上記従来のものは、光ピックアップ装置を弾性支持する、その部材のところに、バネ系を形成するゴム状弾性体を介した状態で所定のマスを取付け、これによって特定の固有振動数を有するダイナミックダンパを形成させるようにしているものである。従って、この従来のものにおいては、光ピックアップ装置へのダイナミックダンパ型制振装置の取付作業が複雑にならざるを得ないと言う問題点がある。このような問題点を解決するために、ダイナミックダンパ型の制振装置を予めモジュール化あるいはユニット化しておき、このような制振装置を光ピックアップ装置のところに後から取付けるようにした、装着性に優れたダイナミックダンパ型の光ピックアップ用制振装置を提供しようとするのが、本発明の目的（課題）である。
【０００４】
【課題を解決するための手段】
上記課題を解決するために、本発明においては次のような手段を講ずることとした。すなわち、請求項１記載の発明においては、光ディスク読取り装置に用いられる光ピックアップ装置の、その制振装置、すなわち、光ピックアップ用制振装置に関して、対物レンズホルダの外周部のところに設けられるものであって被係合部を有するように形成されたブラケットと、当該ブラケットの上記被係合部に装着される係合部を有するとともにダイナミックダンパのバネ系を形成するゴム状弾性体の取付けられるダンパベースを有するダンパ側ブラケット並びに上記ダンパベースに一体的に取付けられるゴム状弾性体及び当該ゴム状弾性体に一体的に結合されるものであって所定の質量を有するマスにて形成されるダイナミックダンパと、からなるとともに、このような構成からなる上記ダイナミックダンパを形成するダンパ側ブラケットを、コ字状の縦断面形状を有するものであって一方の辺側には上記ブラケットの被係合部を形成する開口部に嵌り込むように形成された舌片状の係合部を有するようにし、一方、このような舌片状の係合部の嵌り込む被係合部である開口部を、レンズホルダの円筒状外周面に沿うように形成されるものであって円弧状の形態からなるようにし、このような円弧状開口部からなる被係合部のところに上記舌片状の係合部を係合させて固定するようにした構成を採ることとした。
【０００５】
このような構成を採ることにより、本発明のものにおいては、モジュール化されたダイナミックダンパ型の制振装置を、そのダンパ側ブラケットに形成された係合部のところをもって、上記光ピックアップ装置の対物レンズホルダに予め設けられているブラケットの被係合部のところに装着することによって、本制振装置の上記光ピックアップ装置への取付作業が、円滑に、かつ、簡単に行われるようになる。そして、このようにしてダイナミックダンパ型制振装置が取付られた状態においては、本制振装置の作動により、上記光ピックアップ装置の制振作用が行われるようになるので、従来のものにおいて用いられたドライブユニットとベースとの間における防振ゴム等が不要となり、当該防振ゴムの省略化に基づく本読取り装置全体の製造コストの低減化を図ることができるようになる。
【０００６】
また、本発明のものにおいては、ダイナミックダンパの装着が、ダンパ側ブラケットに設けられた舌片状係合部の上記対物レンズホルダ側に設けられた取付けブラケットの開口部への装着によって行われる等、ダイナミックダンパの装着に当たっての装着位置決めが一義的に行われるようになり、装着位置が相対的にズレたりするようなことがない。
【０００７】
次に、請求項２記載の発明について説明する。このものは、光ディスク読取り装置に用いられる光ピックアップ用の制振装置に関して、円筒状の形態からなる対物レンズホルダのところに、円環状の形態からなるブラケットと、当該円環状ブラケットの円周上のいずれかのところに一体的に取付けられるものであってダイナミックダンパのバネ系を形成するゴム状弾性体と、当該ゴム状弾性体に一体的に結合されるものであって所定の質量を有するマスと、にて形成されるダイナミックダンパを設けるようにした構成を採ることとした。このような構成を採ることにより、本発明のものにおいても、上記請求項１記載のものと同様、本ダイナミックダンパ型制振装置の光ピックアップ装置への装着作業が、円滑に、かつ、効率良く行われるようになる。すなわち、ダイナミックダンパを形成する円環状のダンパ側ブラケットを、円筒状の形態からなる対物レンズホルダのところに装着することによって、本制振装置の光ピックアップ装置への取付作業が簡単に行われるようになる。
【０００８】
また、本発明のものにおいては、上記円環状のダンパ側ブラケットが、例えばゴム状弾性体あるいは軟質プラスチック材等の弾性部材にて形成されるものであるので、取付性（装着性）に優れているとともに、一旦装着された後は、確実に固定され、取付部（装着部）等においてビビリ振動等の発生が抑止されることとなる。
【０００９】
【発明の実施の形態】
本発明の実施の形態について、図１ないし図３を基に説明する。そのうちの、第一の実施形態に関するものは、図１に示す如く、円筒状の形態からなる対物レンズホルダ５の外周部のところに設けられるものであって、当該円筒状外周面に沿うように円弧状に形成されるとともに、その上方部側には円弧状の開口部２１を有するように形成された取付けブラケット２と、当該取付けブラケット２の上記開口部２１に装着される係合部１２を有するとともにダイナミックダンパのバネ系を形成するゴム状弾性体１５の取付けられる基盤を成すダンパベース１１１を有するダンパ側ブラケット１１並びに上記ダンパベース１１１に一体的に取付けられるゴム状弾性体１５及び当該ゴム状弾性体１５に一体的に結合されるものであって所定の質量を有するマス１３にて形成されるダイナミックダンパ１と、からなることを基本とするものである。そして、このような構成からなる上記ダイナミックダンパ１の係合部１２が上記取付けブラケット２の開口部２１のところに装着されるようになっているものである。このような構成からなるものにおいて、上記取付けブラケット２の一部には、図１の（Ａ）に示す如く、後に述べるダンパ側ブラケット１１の一部に形成された凸部の係合する凹部２９が設けられるようになっている。
【００１０】
このような構成からなるものにおいて、上記ダイナミックダンパ１は、図１の（Ａ）に示す如く、コ字状の縦断面形状を有するものであって一方の辺側には上記取付けブラケット２の開口部２１に嵌り込むように形成された舌片状の係合部１２を有するとともに、この舌片状係合部１２に平行なように形成されたもう一方の辺部からなるダンパベース１１１を有するダンパ側ブラケット１１を基礎に形成されるようになっているものである。そして、このようなダンパ側ブラケット１１のダンパベース１１１のところに、バネ系を形成するゴム状弾性体１５が加硫接着手段等にて一体的に取付けられるようになっているものである。また、本ダンパベース１１１の先端部のところには、図１の（Ａ）に示す如く、上記取付けブラケット２の一部に設けられた凹部２９に嵌り込むように形成された凸部１９が設けられるようになっている。これによって、ダイナミックダンパ１の取付けブラケット２からの脱落を防止するようにしているものである。そして更に、このようなゴム状弾性体１５のところに、所定の質量を有するマス１３が上記ダンパベース１１１のところに取付けられるゴム状弾性体１５の加硫接着時に同時に取付けられるようになっているものである。このような構成からなるダイナミックダンパ１が、図１の（Ｂ）に示す如く、対物レンズホルダ５の周りに設けられた取付けブラケット２のところに取付けられる（装着される）ことによって、特定の固有振動数を有するダイナミックダンパ１が形成されることとなる。なお、この固有振動数（共振周波数）は、本実施の形態においては、２０〜４０Ｈｚの所定の値に設定されるようになっているものである。このような共振周波数を有するダイナミックダンパ１が本光ピックアップ装置を形成する対物レンズホルダ５のところに取付けられることによって、本光ピックアップ装置の共振による振動が抑止されるようになる。
【００１１】
次に、第二の実施形態について、図２を基に説明する。このものも、その基本的な点は上記第一の実施形態のものと同じである。その特徴とするところは、ダイナミックダンパ１の対物レンズホルダ５への取付構造に関する点である。すなわち、本実施の形態に関するものは、図２に示す如く、円筒状の形態からなる対物レンズホルダ５のところに、複数の係合爪２５を有する取付ブラケット２’を介して円環状のダンパ側ブラケット１４を基礎に形成されるダイナミックダンパ１が取付けられるようになっているものである。このような構成からなるものにおいて、上記ダイナミックダンパ１は、円環状のダンパ側ブラケット１４と、当該円環状のダンパ側ブラケット１４の円周上のいずれかの所に一体的に取付けられるものであって本ダイナミックダンパのバネ系を形成するゴム状弾性体１５と、当該ゴム状弾性体１５に一体的に結合されるものであって所定の質量を有するマス１３と、からなることを基本とするものである。
【００１２】
次に、このような構成からなる本ダイナミックダンパ１の光ピックアップ装置への取付手順について説明する。まず、図２の（Ａ）に示す如く、上記円環状のダンパ側ブラケット１４を、円筒状の対物レンズホルダ５のところに持って行き、これを上方から押付けることによって、本ダイナミックダンパ１は、上記対物レンズホルダ５のところに簡単に装着される（取付けられる）こととなる。すなわち、具体的には、図２の（Ｂ）に示す如く、円環状のダンパ側ブラケット１４が対物レンズホルダ５の周りに設けられたフック状の係合爪２５のところに係合した状態で保持されるようになり、ダイナミックダンパ１は対物レンズホルダ５の周りに取付ブラケット２’を介して確実に固定される（取付けられる）ようになる。また、上記円環状のダンパ側ブラケット１４を、ＥＰＤＭを初めとしたゴム状弾性体または軟質プラスチック材等にて形成させることによって、ダイナミックダンパ１の対物レンズホルダ５への取付け（装着）が簡単に行われるようになる。すなわち、円環状のダンパ側ブラケット１４は、弾性変形がし易くなるので、上記円筒状の対物レンズホルダ５への装着が円滑に行われるようになる。また、このようにして一旦装着された後は、上記円環状のダンパ側ブラケット１４は、その緊迫力にて対物レンズホルダ５の周りに密着した状態で取付けられるようになり、ダイナミックダンパ１の作動時において、ビビリ振動等が生ずるようなことが無い。
【００１３】
次に、第三の実施形態について、図３を基に説明する。このものは、図３の（Ａ）に示す如く、対物レンズホルダ５の外周部に設けられるものであって、塑性変形が可能なように形成された２本の直立ピン２２を有する取付けブラケット２”と、当該取付けブラケット２”のところに取付けられるものであって当該取付けブラケット２”を形成する上記ピン２２の挿入される装着穴１６６を有するダンパ側ブラケット１６並びに当該ダンパ側ブラケット１６のところに加硫接着手段にて一体的に取付けられるものであってバネ系を形成するゴム状弾性体１５及び当該ゴム状弾性体１５のところに一体的に結合されるものであって所定の質量を有するマス１３にて形成されるダイナミックダンパ１と、からなることを基本とするものである。
【００１４】
次に、このような構成からなるダイナミックダンパ１の光ピックアップ装置への取付手順（装着手順）について説明する。まず、図３の（Ａ）に示すようなダイナミックダンパ１を形成するダンパ側ブラケット１６に設けられた装着穴１６６のところに、対物レンズホルダ５側に取付けられた取付ブラケット２”のピン２２を挿入させる（装着する）。このような状態において、上記ピン２２が軟鋼等の塑性変形可能な材質からなるものである場合には、図３の（Ｂ）に示す如く、挿入された（装着された）ピン２２の先端部を所定の手段を用いて折り曲げる。これによって、ダイナミックダンパ１は上記取付ブラケット２”のところ、すなわち、対物レンズホルダ５の周りに固定される（取付けられる）こととなる。
【００１５】
なお、上記ピン２２が所定の熱可塑性プラスチック材にて上記取付けブラケット２”と一体的に形成されているようなものである場合には、上記ピン２２がダンパ側ブラケット１６の装着穴１６６内に挿入された状態において、その先端部を熱溶着手段等にて溶着固定することによって、ダイナミックダンパ１の取付けブラケット２”への固定（取付け）が行われることとなる。いずれにしても、本実施の形態のものにおいては、上記ピン２２を塑性変形させることによってダイナミックダンパ１の対物レンズホルダ５周りへの取付けが、円滑に、かつ、効率良く行われることとなる。そして、このようにして取付けられた状態においては、図３の（Ｂ）に示す如く、光ピックアップ装置に対するダイナミックダンパ１が形成されることとなり、本光ピックアップ装置に入力された振動を効率良く制振することができるようになる。
【００１６】
【発明の効果】
本発明によれば、光ディスク読取り装置に用いられる光ピックアップ装置の、その制振装置に関して、対物レンズホルダの外周部のところに設けられるものであって当該対物レンズホルダの外周面に沿うように形成されるとともに、その上方部側には所定の開口部を有するように形成されたブラケットと、当該ブラケットの上記開口部に装着される係合部を有するとともにダイナミックダンパのバネ系を形成するゴム状弾性体の取付けられるダンパベースを有するダンパ側ブラケット並びに上記ダンパベースに一体的に取付けられるゴム状弾性体及び当該ゴム状弾性体に一体的に結合されるものであって所定の質量を有するマスにて形成されるダイナミックダンパと、からなるようにした構成を採ることとしたので、ダイナミックダンパ型制振装置の光ピックアップ装置への取付けが簡単に行われるようになった。すなわち、モジュール化されたダイナミックダンパを、そのダンパ側ブラケットに形成された係合部のところをもって、上記光ピックアップ装置の対物レンズホルダに予め設けられているブラケットの開口部のところに装着することによって、本制振装置の上記光ピックアップ装置への取付作業が、円滑に、かつ、簡単に行われるようになった。その結果、本制振装置の作動により、上記光ピックアップ装置の制振作用が行われるようになるので、従来のものにおいて用いられていたドライブユニットとベースとの間における防振ゴム等が不要となり、当該防振ゴムの省略化に基づく本読取り装置全体の製造コストの低減化を図ることができるようになった。
【００１７】
また、本発明においては、円筒状の形態からなる対物レンズホルダのところに、円環状の形態からなるブラケットと、当該円環状ブラケットの円周上のいずれかのところに一体的に取付けられるものであってダイナミックダンパのバネ系を形成するゴム状弾性体と、当該ゴム状弾性体に一体的に結合されるものであって所定の質量を有するマスと、にて形成されるダイナミックダンパを設けるようにした構成を採ることとしたので、本ダイナミックダンパ型制振装置の光ピックアップ装置への装着作業が、円滑に、かつ、効率良く行われるようになった。
【００１８】
また、本発明においては、上記円環状のブラケットを、ゴム状弾性体あるいは軟質プラスチック材等の伸縮が可能な弾性部材にて形成させるようにしたので、取付性（装着性）が優れるようになるとともに、一旦装着された後は、確実に一体化され、取付部（装着部）等においてビビリ振動等の発生を抑止することができるようになった。
【図面の簡単な説明】
【図１】本発明にかかる第一の実施形態に関するものの全体構成を示す展開斜視図である。
【図２】本発明にかかる第二の実施形態に関するものの全体構成を示す展開斜視図である。
【図３】本発明にかかる第三の実施形態に関するものの全体構成を示す展開斜視図である。
【図４】光ピックアップ装置を有する一般的な記録読出し装置の全体構成を示す図である。
【符号の説明】
１  ダイナミックダンパ
１１  ダンパ側ブラケット
１１１  ダンパベース
１２  係合部
１３  マス
１４  ダンパ側ブラケット
１５  ゴム状弾性体
１６  ダンパ側ブラケット
１６６  装着穴
１９  凸部
２  取付けブラケット
２’  取付けブラケット
２”  取付けブラケット
２１  開口部
２２  ピン
２５  係合爪
２９  凹部
５  対物レンズホルダ
【図１】
0003843863.tif 000002
【図２】
0003843863.tif 000003
【図３】
0003843863.tif 000004
【図４】
0003843863.tif 000005